(57)【要約】【課題】湿式洗浄機を終了し運転を停止する際に、洗浄バルブを必ず閉状態にすることができるマット洗浄機を提供することを目的とする。【解決手段】マット送り手段３と、清掃手段４と、マット送り手段３と清掃手段４とを内蔵したケーシング10と、マット送り手段３と清掃手段４とを運転・停止させる起動スイッチ18と、起動スイッチ18のＯＮ−ＯＦＦ状態を揺動切換する運転レバー１と、洗浄水バルブ９とを、備えたものであり、かつ、運転レバー１のＯＮ状態で洗浄水バルブ９の開閉状態を揺動切換する給水レバー２を具備する。さらに、ＯＦＦ状態へ揺動切換する運転レバー１に連動して給水レバー２を閉状態へ揺動切換させる連動操作機構11を有するものである。【選択図】図３
2008049328.tif 000002
【特許請求の範囲】
【請求項１】
マット送り手段（３）と、清掃手段（４）と、上記マット送り手段（３）と上記清掃手段（４）とを内蔵したケーシング（10）と、上記マット送り手段（３）と上記清掃手段（４）とを運転・停止させる起動スイッチ（18）と、該起動スイッチ（18）のＯＮ−ＯＦＦ状態を揺動切換する運転レバー（１）と、洗浄水バルブ（９）とを、備えたマット洗浄機であって、
上記運転レバー（１）の上記ＯＮ状態で上記洗浄水バルブ（９）の開閉状態を揺動切換する給水レバー（２）を具備し、上記ＯＦＦ状態へ揺動切換する上記運転レバー（１）に連動して上記給水レバー（２）を上記閉状態へ揺動切換させる連動操作機構（11）を有することを特徴とするマット洗浄機。
【請求項２】
マット送り手段（３）と、清掃手段（４）と、上記マット送り手段（３）と上記清掃手段（４）とを内蔵したケーシング（10）と、上記マット送り手段（３）と上記清掃手段（４）とを運転・停止させる起動スイッチ（18）と、該起動スイッチ（18）のＯＮ−ＯＦＦ状態を揺動切換する運転レバー（１）と、洗浄水を貯水するタンク（61）と、洗浄水を送るポンプ（64）と、上記タンク（61）から洗浄水を上記ポンプ（64）によって上記清掃手段（４）に送る配管に介装された洗浄水バルブ（９）と、該ポンプ（64）を運転・停止させるポンプスイッチ（62）と、給水レバー（２）とを、備えたマット洗浄機であって、    上記給水レバー（２）は上記運転レバー（１）の上記ＯＮ状態で上記洗浄水バルブ（９）の開閉状態を揺動切換できると共に上記ポンプスイッチ（62）のＯＮ−ＯＦＦ状態を揺動切換可能であり、上記給水レバー（２）の開状態は洗浄水バルブが開状態であると共にポンプスイッチがＯＮ状態であり、該給水レバー（２）の閉状態は洗浄水バルブが閉状態であると共にポンプスイッチがＯＦＦ状態であり、かつ、上記運転レバー（１）の上記ＯＦＦ状態に連動して上記給水レバー（２）を上記閉状態へ揺動切換させる連動操作機構（11）を有することを特徴とするマット洗浄機。
【請求項３】
上記連動操作機構（11）は、上記運転レバー（１）又は上記給水レバー（２）のうちの一方に付設されると共に上記運転レバー（１）の上記ＯＦＦ状態への揺動切換時に他方に当接して上記給水レバー（２）を上記閉状態へ揺動切換させる突起部材（12）を有する請求項１又は２記載のマット洗浄機。
【請求項４】
上記運転レバー（１）の枢支軸心（13）と上記給水レバー（２）の枢支軸心（14）とを同一軸心（Ｘ）状に配設した請求項３記載のマット洗浄機。
【請求項５】
上記運転レバー（１）の把持部（15）と上記給水レバー（２）のグリップ部（16）とを、上記ケーシング（10）の垂直壁部（10ａ）に形成した長孔（17）から該ケーシング（10）外に突出させた請求項１，２，３又は４記載のマット洗浄機。
【請求項６】
上記運転レバー（１）が上方のＯＮ状態と下方のＯＦＦ状態とに上下揺動切換自在に付設され、上記給水レバー（２）が上方の開状態と下方の閉状態とに上下揺動切換自在に付設されている請求項１，２，３，４又は５記載のマット洗浄機。
【請求項７】
上記送り手段（３）及び上記清掃手段（４）はローラ（５ａ）（５ｂ）（７）（８）を備え、
該ローラ（５ａ）（５ｂ）（７）（８）は軸部（53）の一方の軸端を上記ケーシング（10）の両側壁部（42）（43）のいずれか一方にベアリングケース（52）と固着具（Ｂ）にて固着されたベアリング（44ｂ）に着脱自在に取り付けられ、他方の軸端はベアリング（44ａ）が固着され上記両側壁部（42）（43）の他方を貫通してベアリングケース（52）と固着具（Ｂ）にて取り付けられた構造であって、  
上記ローラ（５ａ）（５ｂ）（７）（８）の一方の軸端をベアリング（44ｂ）から取り外し上記両側壁部（42）（43）の他方の上記ベアリングケース（52）と上記固着具（Ｂ）を取り外して上記軸部（53）の両端を自由にでき、上記両側壁部（42）（43）の他方に形成された取外し孔（55）に対し上記軸部（53）と固着されたままの上記ベアリング（44ａ）を斜めに通過可能として、該ベアリング（44ａ）を固着したままで上記ケーシング（10）から上記ローラ（５ａ）（５ｂ）（７）（８）を着脱可能とした請求項1 〜６記載のマット洗浄機。
【発明の詳細な説明】
【技術分野】
【０００１】
本発明は、マット洗浄機に関する。
【背景技術】
【０００２】
従来のマット洗浄機には、洗浄水を使用して洗浄する湿式洗浄と、洗浄水を使用せずに清掃する乾式清掃とを、切り換えて行うことのできるものがある。例えば、自動車用の床マットには、ゴム製又はビニル製のマットや、植毛面を有するジュウタンマットがあり、ゴム・ビニル製マットは湿式洗浄を行うが、ジュウタンマットは乾式清掃が好ましい場合がある。
【０００３】
従来のマット洗浄機として、マット送りローラとブラシローラとを回転駆動させる駆動モータと、洗浄水を吹き出す放水パイプとを、備え、運転レバーで駆動モータのＯＮ−ＯＦＦを切り換え、洗浄水バルブのハンドルを操作して放水パイプの放水・止水を行うように構成されているものがあった（特許文献１参照）。
そして、湿式洗浄を行う場合は、運転レバーを操作して駆動モータをＯＮ状態にし、洗浄水バルブのハンドルを操作して開状態にして放水してから、ゴム・ビニル製マットを送り込む。
また、乾式清掃を行う場合は、洗浄水バルブを閉じて止水してから、また、止水してあるのを確認してから、運転レバーで駆動モータをＯＮ状態にし、ジュウタンマットを送り込んで清掃していた。
また、マット送りローラやブラシローラの保守や点検及び修理では、ローラをケーシングから取り外す作業が困難であった。
【特許文献１】実開平６−３９１７７号公報
【発明の開示】
【発明が解決しようとする課題】
【０００４】
しかし、洗浄水バルブのハンドルは、目立ちにくい位置に取り付けられてあり、湿式洗浄の後に、洗浄水バルブを閉め忘れることが多かった。その後、洗浄水バルブが開いたままであることを知らない使用者が、乾式清掃しようとジュウタンマットを送り込むと、湿式洗浄され濡れてしまう。そして、そのジュウタンマットを十分に乾燥しないで自動車の床に載置すると、窓ガラスがくもったり細菌が発生するといった不具合があった。
【０００５】
また、メンテナンス作業の際にローラをケーシングから取り外す作業の際、軸部の錆びや変形により、ローラ軸部に固着されたベアリングを取り外す作業に時間がかかるといった不具合があった。
【０００６】
そこで、本発明は、湿式洗浄を終了し運転を停止する際に、洗浄水バルブを必ず閉状態にすることができるマット洗浄機を提供することを目的とする。
【０００７】
また、本発明は、メンテナンス作業容易かつ迅速におこなうことができるマット洗浄機を提供することを目的とする。
【課題を解決するための手段】
【０００８】
上記目的を達成するために、本発明に係るマット洗浄機は、マット送り手段と、清掃手段と、上記マット送り手段と上記清掃手段とを内蔵したケーシングと、上記マット送り手段と上記清掃手段とを運転・停止させる起動スイッチと、該起動スイッチのＯＮ−ＯＦＦ状態を揺動切換する運転レバーと、洗浄水バルブとを、備えたマット洗浄機であって、上記運転レバーの上記ＯＮ状態で上記洗浄水バルブの開閉状態を揺動切換する給水レバーを具備し、上記ＯＦＦ状態へ揺動切換する上記運転レバーに連動して上記給水レバーを上記閉状態へ揺動切換させる連動操作機構を有するものである。
【０００９】
また、本発明に係るマット洗浄機は、マット送り手段と、清掃手段と、上記マット送り手段と上記清掃手段とを内蔵したケーシングと、上記マット送り手段と上記清掃手段とを運転・停止させる起動スイッチと、該起動スイッチのＯＮ−ＯＦＦ状態を揺動切換する運転レバーと、洗浄水を貯水するタンクと、洗浄水を送るポンプと、上記タンクから洗浄水を上記ポンプによって上記清掃手段に送る配管に介装された洗浄水バルブと、該ポンプを運転・停止させるポンプスイッチと、給水レバーとを、備えたマット洗浄機であって、上記給水レバーは上記運転レバーの上記ＯＮ状態で上記洗浄水バルブの開閉状態を揺動切換できると共に上記ポンプスイッチのＯＮ−ＯＦＦ状態を揺動切換可能であり、上記給水レバーの開状態は洗浄水バルブが開状態であると共にポンプスイッチがＯＮ状態であり、該給水レバーの閉状態は洗浄水バルブが閉状態であると共にポンプスイッチがＯＦＦ状態であり、かつ、上記運転レバーの上記ＯＦＦ状態に連動して上記給水レバーを上記閉状態へ揺動切換させる連動操作機構を有するものである。
【００１０】
また、上記連動操作機構は、上記運転レバー又は上記給水レバーのうちの一方に付設されると共に上記運転レバーの上記ＯＦＦ状態への揺動切換時に他方に当接して上記給水レバーを上記閉状態へ揺動切換させる突起部材を有するものである。
【００１１】
また、上記運転レバーの枢支軸心と上記給水レバーの枢支軸心とを同一軸心状に配設することが望ましい。
【００１２】
また、上記運転レバーの把持部と上記給水レバーのグリップ部とを、上記ケーシングの垂直壁部に形成した長孔から該ケーシング外に突出させることが好ましい。
【００１３】
また、上記運転レバーが上方のＯＮ状態と下方のＯＦＦ状態とに上下揺動切換自在に付設され、上記給水レバーが上方の開状態と下方の閉状態とに上下揺動切換自在に付設されていることが好ましい。
【００１４】
また、上記送り手段及び上記清掃手段はローラを備え、該ローラは軸部の一方の軸端を上記ケーシングの両側壁部のいずれか一方にベアリングケースと固着具にて固着されたベアリングに着脱自在に取り付けられ、他方の軸端はベアリングが固着され上記両側壁部の他方を貫通してベアリングケースと固着具にて取り付けられた構造であって、上記ローラの一方の軸端をベアリングから取り外し上記両側壁部の他方の上記ベアリングケースと上記固着具を取り外して上記軸部の両端を自由にでき、上記両側壁部の他方に形成された取外し孔に対し上記軸部と固着されたままの上記ベアリングを斜めに通過可能として、該ベアリングを固着したままで上記ケーシングから上記ローラを着脱可能としたものである。
【発明の効果】
【００１５】
本発明は、次のような著大な効果を奏する。
本発明に係るマット洗浄機によれば、洗浄水を使用する湿式洗浄と、洗浄水を使用しない乾式清掃とを、両方切換えて行うことができると共に、湿式洗浄を終了し運転を停止する（ＯＦＦ状態とする）際に、必ず洗浄水バルブを閉状態にすることができる。このことにより、湿式洗浄後、洗浄水バルブを閉め忘れることがないので、次に乾式清掃する場合に、ジュウタンマットが洗浄水によって濡れるのを防ぐことができる。
【００１６】
また、本発明に係るマット洗浄機によれば、洗浄水を使用する湿式洗浄と、洗浄水を使用しない乾式清掃とを、両方切換えて行うことができると共に、湿式洗浄を終了し運転を停止する（ＯＦＦ状態とする）際に、必ず洗浄水バルブを閉状態及び洗浄水を送るポンプを停止状態にすることができる。このことにより、湿式洗浄後、洗浄水バルブを閉め忘れることがないので、次に乾式清掃する場合に、ジュウタンマットが洗浄水によって濡れるのを防ぐことができると共に、ポンプを停止させ忘れることがないので、電力の無駄な消費を抑えることができる。
【００１７】
また、ローラの軸部の一方に固着されたベアリングを取り外すことなく、ローラをケーシングから取り外すことができるので、ローラの保守や点検及び修理などの交換作業が迅速かつ容易にできると共に、マット洗浄機本体の送り手段や清掃手段だけでなく、配管や配線及びその他機構部分の保守や点検及び修理などの部品の交換をも容易にし、マット洗浄機のメンテナンス作業を容易かつ迅速におこなうことができる。
【発明を実施するための最良の形態】
【００１８】
以下、実施の形態を示す図面に基づき本発明を詳説する。
図１は本発明のマット洗浄機の第１の実施の形態を示す正面図、図２はその側面図である。図１と図２に於て、洗浄機本体19は、地面・床面等に設置される基台部20と、基台部20に立設された左右の支柱部21，21と、支柱部21，21の上端に付設されたケーシング10とを、有している。
【００１９】
図２に示すように、ケーシング10内には、マット送り手段３と、清掃手段４と、マット送り手段３と清掃手段４とを運転・停止させる起動スイッチ18とを、備えている。そして、起動スイッチ18のＯＮ−ＯＦＦ状態を揺動切換する運転レバー１と、洗浄水バルブ９とを、備える。
また、運転レバー１は、上方のＯＮ状態と下方のＯＦＦ状態とに上下揺動切換自在にケーシング10に付設されている。図３・図４は運転レバー１が上方へ揺動したＯＮ状態を示し、図５は運転レバー１が下方へ揺動したＯＦＦ状態を示す。
【００２０】
図３・図４に示す運転レバー１のＯＮ状態に於て、洗浄水バルブ９の開閉を運転レバー１と独立して揺動切換する給水レバー２を具備している。さらに、ＯＦＦ状態へ揺動切換する運転レバー１に連動して給水レバー２を閉状態へ揺動切換させる連動操作機構11を有する（図５参照）。
【００２１】
給水レバー２は上下揺動自在に取り付けられ、給水レバー２が下方へ揺動すると洗浄水バルブ９が閉状態となり（図３・図５参照）、給水レバー２が上方へ揺動すると開状態となるように構成されている（図４参照）。そして、給水レバー２は、運転レバー１がＯＦＦ状態への（下方）揺動切換時に、その運転レバー１に当接する突起部材12を有し、この突起部材（突片）12が上記連動操作機構11となる。
【００２２】
図６は本発明の要部正面図であり、図７はその要部拡大図である。図７に示すように、運転レバー１の基端の筒状部37と、給水レバー２の基端の短筒部38とが、共通の支軸36に回転自在に外嵌され、運転レバー１の枢支軸心13と給水レバー２の枢支軸心14は同一軸心Ｘ状に配設されている。
また、上記突起部材12は、運転レバー１の仮想の揺動軌道面側へ突出して設けられ、突起部材12は運転レバー１の下向き面１ａに当接するように設けられている（図３・図４・図５参照）。
【００２３】
また、図１と図２に戻って、本発明の第１の実施の形態の具体的構成について説明する。  
図１に於て、ケーシング10は、正面にマット挿入口22が形成された箱形のケーシング本体23と、ケーシング本体23の左右側壁部43，42に取り付けられた側方カバー24ａ，24ｂとを、有する。
また、図２に示す二点鎖線の矢印は、マット挿入口22から挿入したマットの搬送ルートを示し、ケーシング本体23内で洗浄・清掃等されたマットを排出する（図示省略の）排出口がケーシング本体23の下面後部に貫設されている。
【００２４】
図２に於て、上記マット送り手段３は大径送りローラ５ａと小径送りローラ５ｂとを有し、上記清掃手段４は回転軸の外周にブラシが付設されたブラシローラ８を具備している。また、大径送りローラ５ａは、ブラシローラ８とも接近して配設され、大径送りローラ５ａは、小径送りローラ５ｂとブラシローラ８との共用の送りローラとなっている。
７は固定スポンジローラであり、６は固定スポンジローラ７に圧接・離間する可動スポンジローラである。また、25は、小径送りローラ５ｂと、ブラシローラ８と、固定スポンジローラ７とを、回転駆動させる駆動モータ25であり、駆動モータ25の運転・停止は起動スイッチ18にて操作されるようになっている。また、大径送りローラ５ａと可動スポンジローラ６とは遊転自在に付設されている。
【００２５】
図３に示すように、運転レバー１は、Ｌ形リンク部材26と、ケーシング10内に枢着された揺動板27とを介して、可動スポンジローラ６と連動連結されている。即ち、運転レバー１にて、可動スポンジローラ６は固定スポンジローラ７に対し圧接・離間するように構成されている。
揺動板27はその後端部の支点28にて枢着され、揺動板27の前端部が上下に揺動可能に取り付けられている。また、揺動板27（の前端部）を下方へ弾発付勢する弾発付勢手段29を備え、図例では、弾発付勢手段29は、上端が揺動板27の前端部に付設され下端がケーシング10に付設されたバネ部材である。
【００２６】
また、運転レバー１の筒状部37の外周面には三角山形の起出子31が設けられ（図７参照）、起出子31が起動スイッチ18に付設された板バネの固定接触子30と接触離間して駆動モータ25のＯＮ−ＯＦＦ状態を切換可能となっている。なお、起出子31が固定接触子30に接触した状態（図３・図４参照）が、ＯＮ状態であり、起出子31が固定接触子30から離間した状態（図５参照）が、ＯＦＦ状態である。
このように、運転レバー１は、可動スポンジローラ６の固定スポンジローラ７への圧接・離間と、起出子31の固定接触子30への接触・離間とを、略同時に行うものである。
【００２７】
給水レバー２は、ストレート状のリンク棒32を介して、洗浄水バルブ９の開閉用ハンドル33と連動連結されている。リンク棒32は長さ調節手段34を備え、具体的には、リンク棒32が、（長短の）２本のリンク棒を連結したものであり、一方のリンク棒に対する他方のリンク棒の連結位置を長手方向にずらすことで長さ調節可能となっている。言い換えれば、リンク棒32の長さを調整することで、洗浄水バルブ９の開閉度を調整することができる洗浄水供給量調整手段である。
【００２８】
運転レバー１の（球状の）把持部15と給水レバー２のグリップ部16とは、ケーシング10（の側方カバー24ｂ）の垂直壁部10ａに形成した長孔17からケーシング10外に突出して設けられている（図１参照）。また、図５に示すように、運転レバー１と給水レバー２とが互いに（突起部材12を介して）当接した場合に、運転レバー１の把持部15が、給水レバー２のグリップ部16のエンド部（前端部）35より前方にくるように配設されている。
【００２９】
また、ケーシング10内には、各ローラ間を搬送されるマットの下面に洗浄水を吹き付ける放水パイプ39を有し、図示省略の水管路にて放水パイプ39と洗浄水バルブ９とが連通連結されている。さらに、ケーシング10（の側方カバー24ｂ）の下壁部には、洗浄水を供給するためのホース等の先端を取り付ける取着口40が下方突出状に設けられている。
【００３０】
図８は、運転レバー１が下方に揺動切換して、固定スポンジローラ７と可動スポンジローラ６とが離間した状態を示し、給水レバー２等は図示省略している。
運転レバー１が下方に揺動切換した状態で、Ｌ形リンク部材26は筒状部37の外周面に当接する当り部41を有する。また、この状態で、Ｌ形リンク部材26と揺動板27との枢着点Ｐ1 には、弾発付勢手段29により力Ｆ1 が作用し、Ｌ形リンク部材26と運転レバー１との枢着点Ｐ2 に作用する力Ｆ2 の一方の（力Ｆ1 と反対方向の）分力Ｆ3 と上記力Ｆ1 とがつり合った状態となっている。そして、力Ｆ2 の他方の分力Ｆ4 が下方へ作用すると共に、上記当り部41がストッパの役割を果たすので、運転レバー１は上方へ揺動することなくその状態を維持する（制止される）。
【００３１】
図９は要部正面図であり、小径送りローラ５ｂ・ブラシローラ８・固定スポンジローラ７及び図示省略の大径送りローラ５ａは、ケーシング本体23の左右側壁部42，43にベアリング44等を介して取り付けられている。小径送りローラ５ｂ・ブラシローラ８・固定スポンジローラ７の一端（図に於て左端）には、それぞれスプロケット45ａ，45ｂ，45ｃが付設され、ブラシローラ８の他端（図に於て右端）には、タイミングベルトを介して図示省略の駆動モータ25と連結されたプーリ47が付設されている。また、左側の側方カバー24ａ内に減速機構が設けられている。
【００３２】
その減速機構を、図９と、図９の左側から見た側面図である図10とに基づいて説明する。減速機構は、一体状に回転する小ギア46ａと大ギア46ｂとを有する。さらに、減速機構は、ブラシローラ８に付設された小径のスプロケット45ｂと、小径送りローラ５ｂと固定スポンジローラ７にそれぞれ付設された大径のスプロケット45ａ，45ｃとを有する。
そして、図10に示すように、大ギア46ｂと上記スプロケット45ｂとが第１チェーン49を介して連結され、小ギア46ａと上記スプロケット45ａ，45ｃとが第２チェーン48を介して連結されている。つまり、図９に於て、（図示省略の）駆動モータ25の回転は、右側のプーリ47からブラシローラ８を介して左側のスプロケット45ｂに伝達される。そして、スプロケット45ｂの回転は大ギア46ｂへ減速して伝達され、さらに、小ギア46ａからスプロケット45ａ，45ｃへと減速して伝達されて、小径送りローラ５ｂと固定スポンジローラ７とが低速回転するように構成されている。（従って、ブラシローラ８は、十分に高速で回転する。）
【００３３】
図11は、図９に於ける小径送りローラ５ｂ・ブラシローラ８・固定スポンジローラ７・（図示省略の）大径送りローラ５ａの左右側壁部42，43への取付構造を示す要部拡大図である。なお、各ローラの取付構造は同様であるので、図11に於て、小径送りローラ５ｂの取付構造のみを図示して説明する。
図の左側では、小径送りローラ５ｂの軸部53にはベアリング44ａが装着されている。さらに、小径送りローラ５ｂの軸部53外周面には２つの環状溝51，51が形成され、環状溝51，51に装着されたＣ形止め輪50，50によってベアリング44ａが軸心方向に移動しないように固定されている。また、ベアリング44ａには、軸部53が挿通する孔部54を有するベアリングケース52が外嵌され、このベアリングケース52が固着具Ｂにて側壁部43に固着されている。
【００３４】
また、図11の右側に於て、小径送りローラ５ｂの軸部53にベアリング44ｂが装着され、ベアリング44ｂに外嵌したベアリングケース52が固着具Ｂ等にて側壁部42に固着されている。この軸部53の右端部に装着されたベアリング44ｂは、左側のベアリング44ａのようにＣ形止め輪50にて軸部53に固定されておらず、つまり、軸部53の右端部はベアリング44ｂに対し着脱自在となっている。
【００３５】
詳しい作用については後で説明するが、側壁部43には、軸部53に（左側の）ベアリング44ａが固着したままで側壁部43から取り外すための取外し孔55が貫設されている。この取外し孔55は、図10に示すように、上記各ローラ５ａ，５ｂ，７，８に取り付けられたベアリング44ａに対応して側壁部43に形成されている。また、図12に示すように、取外し孔55は、対向する長方形の長辺部57，57に膨出円弧部56，56が形成された形状であり、膨出円弧部56，56の径寸法ｄはベアリング44ａの径寸法Ｄより小さく形成されている。また、取外し孔55の対向する短辺部58，58の間隔寸法Ｓはベアリング44ａの径寸法Ｄより（僅かに）大きく形成されている。
【００３６】
次に、本発明に係る第２の実施の形態を示す。
図18は第２の実施の形態を示す正面図である。図18に於て、洗浄機本体19は、第１の形態と同様に基台部20と、基台部20と支柱部21，21と、ケーシング10とを、有している。また、洗浄水を貯えるタンク61を有している。
【００３７】
第２の実施の形態ではケーシング10内に第１の実施の形態と同様にマット送り手段３と、清掃手段４と、マット送り手段３と清掃手段４とを運転・停止させる起動スイッチ18と、起動スイッチ18のＯＮ−ＯＦＦ状態を揺動切換する運転レバー１と、備えている。さらに洗浄水を貯水するタンク61と洗浄水を送るポンプ64と、清掃手段４に洗浄水を送る配管に介装された洗浄水バルブ９と、ポンプ64を運転・停止させるポンプスイッチ62と、ポンプスイッチ62のＯＮ−ＯＦＦ状態を揺動切換すると共に洗浄水バルブ９の開閉状態を切換する給水レバー２を備える。
【００３８】
また、運転レバー１は第１の実施の形態と同様に上方のＯＮ状態と下方のＯＦＦ状態とに上下揺動切換自在にケーシング10に付設されている。  
【００３９】
また、給水レバー２は第１の実施の形態と同様に上下誘導自在に取り付けられている。また、給水レバー２は下方へ揺動すると洗浄水バルブ９を閉状態とすると共にポンプスイッチ62をＯＦＦ状態とする。また上方へ揺動すると洗浄水バルブ９を開状態とすると共にポンプスイッチ62をＯＮ状態とするように構成されている。
【００４０】
また、運転レバー１は第１の実施の形態と同様の突起部材12を有し、この突起部材12が、運転レバー１のＯＮ状態に於て給水レバー２を上方の開状態と下方の閉状態に揺動切換可能とし、運転レバー１のＯＦＦ状態に於て給水レバー２を下方の閉状態へ揺動切換させる連動操作機構11となる。
【００４１】
また、運転レバー１と給水レバー２は第１の実施の形態と同様に各々の枢支軸心13，14を同一軸心Ｘ状に配設されている。
また、突起部材12は第１の実施の形態と同様に運転レバー１の仮想の揺動軌道面側へ突出して設けられ、突起部材12は運転レバー１の下向き面１ａに当接するように設けられている。
【００４２】
次に、本発明の第２の実施の形態の具体的構成について説明する。
図18に於て、ケーシング10は第１の実施の形態と同様にマット挿入口22と、ケーシング本体23の左右側壁部43，42に取り付けられた側方カバー24ａ，24ｂと、ケーシング本体23の下面後部に貫設された排出口を有している。
【００４３】
また、マット送り手段３と清掃手段４は第１の実施の形態と同様に小径送りローラ５ｂと、回転軸の外周にブラシが付設されたブラシローラ８と、小径送りローラ５ｂとブラシローラ８との共用送りローラとなる大径送りローラ５ａと、固定スポンジローラ７と、固定スポンジローラ７に圧接・離間する可動スポンジローラ６を備えている。また、小径送りローラ５ｂとブラシローラ８と固定スポンジローラ７とを回転駆動させ、起動スイッチ18にて操作される駆動モータ25を有している。また、大径送りローラ５ａと可動スポンジローラ６とは遊転自在に付設されている。
【００４４】
運転レバー１は図３に示す第１の実施の形態と同様にＬ形リンク部材26と、ケーシング10内に枢着され弾発付勢手段29を備えた揺動板27とを介して、可動スポンジローラ６と連動連結されている。即ち、運転レバー１にて、可動スポンジローラ６は固定スポンジローラ７に対し圧接・離間するように構成されている。
揺動板27はその後端部の支点28にて枢着され、揺動板27の前端部が上下に揺動可能に取り付けられている。
【００４５】
また、運転レバー１の筒状部37の外周面には三角山形の起出子31が図７に示す第１の実施の形態と同様に設けられ、起出子31が起動スイッチ18に付設された板バネの固定接触子30と接触離間して駆動モータ25のＯＮ−ＯＦＦ状態を切換可能としており、可動スポンジローラ６の固定スポンジローラ７への圧接・離間と、起出子31の固定接触子30への接触・離間とを、略同時に行うものである。
【００４６】
給水レバー２は、第１の実施の形態と同様に長さ調節手段34を備えたリンク棒32を介して、洗浄水バルブ９の開閉用ハンドル33と連動連結されている。また、このリンク棒32の長さを調整することが、洗浄水バルブ９の開閉度を調節することができる洗浄水供給量調整手段となる。さらに、図20に示すように給水レバー２の短筒部38の外周面には三角山形の起出子81が設けられ、図21に示すように起出子81がポンプスイッチ62に付設された板バネの固定接触子80と接触離間してポンプ64のＯＮーＯＦＦ状態を切換可能となっている。なお、図22（ｃ）と図23（ｃ）に示すように起出子81が固定接触子80から離間した状態がＯＦＦ状態であり、図24（ｃ）に示すように起出子81が固定接触子80に接した状態がＯＮ状態である。このように、給水レバー２は、洗浄水バルブ９の開閉と、起出子81の固定接触子80への接触・離間とを、略同時に行うものである。
【００４７】
また、図21に示す運転レバー１の（球状の）把持部15と給水レバー２のグリップ部16とは、第１の実施の形態と同様にケーシング10（の側方カバー24ｂ）の垂直壁部10ａに形成した長孔17からケーシング10外に突出して設けられている（図19参照）。また、図22（ａ）に示すように、運転レバー１と給水レバー２とが互いに（突起部材12を介して）当接した場合に、運転レバー１の把持部15が、給水レバー２のグリップ部16のエンド部（前端部）35より前方にくるように配設されている。
【００４８】
また、ケーシング10内には第１の実施の形態と同様に、各ローラ間を搬送されるマットの下面に洗浄水を吹き付ける放水パイプ39を有し、水管路にて放水パイプ39と洗浄水バルブ９とが連通連結されている。さらに、図18のようにケーシング10（の側方カバー24ｂ）の下壁部には洗浄水バルブ９に送水するための取着口40が下方突出状に設けられており、タンク61に付設されたポンプ64の噴出口65とホースにて連通連結されている。
【００４９】
また、図19に示すようにタンク61にはフロートバルブ63と放水パイプ39より放水された洗浄水を再びタンク61に回収する収水口71と洗浄水を温めるヒーター68とタンク61に貯えられた洗浄液を取着口40に送水するポンプ64とポンプ64にきれいな洗浄水を取り込むためのフィルター67とが付設され、フロートバルブ63には洗浄水を供給するためのホース等を取り付ける給水口69と、タンク61へ洗浄水を補給する補水口70を有している。
【００５０】
また、運転レバー１は図８を用いて第１の実施の形態で説明したのと同様に、運転レバー１が下方に揺動切換した状態で、Ｌ形リンク部材26は筒状部37の外周面に当接する当り部41を有する。また、この状態で、Ｌ形リンク部材26と揺動板27との枢着点Ｐ1 には、弾発付勢手段29により力Ｆ1 が作用し、Ｌ形リンク部材26と運転レバー１との枢着点Ｐ2 に作用する力Ｆ2 の一方の（力Ｆ1 と反対方向の）分力Ｆ3 と上記力Ｆ1 とがつり合った状態となっている。そして、力Ｆ2 の他方の分力Ｆ4 が下方へ作用すると共に、上記当り部41がストッパの役割を果たすので、運転レバー１は上方へ揺動することなくその状態を維持する（制止される）。
【００５１】
また、小径送りローラ５ｂ・ブラシローラ８・固定スポンジローラ７及び大径送りローラ５ａは、第１の実施の形態と同様にケーシング本体23の左右側壁部42，43にベアリング44等を介して取り付けられると共に、小径送りローラ５ｂ・ブラシローラ８・固定スポンジローラ７の一端には、それぞれスプロケット45ａ，45ｂ，45ｃが付設され、ブラシローラ８の他端には、タイミングベルトを介して駆動モータ25と連結されたプーリ47が付設されている。また、左側の側方カバー24ａ内に減速機構が設けられている。
【００５２】
その減速機構は図９と図10を用いて上述した第１の実施の形態と同様であり、一体状に回転する小ギア46ａと大ギア46ｂとを有する。さらに、ブラシローラ８に付設された小径のスプロケット45ｂと、小径送りローラ５ｂと固定スポンジローラ７にそれぞれ付設された大径のスプロケット45ａ，45ｃとを有する。そして、大ギア46ｂとスプロケット45ｂとが第１チェーン49を介して連結され、小ギア46ａとスプロケット45ａ，45ｃとが第２チェーン48を介して連結されている。つまり、駆動モータ25の回転は、右側のプーリ47からブラシローラ８を介して左側のスプロケット45ｂに伝達される。そして、スプロケット45ｂの回転は大ギア46ｂへ減速して伝達され、さらに、小ギア46ａからスプロケット45ａ，45ｃへと減速して伝達されて、小径送りローラ５ｂと固定スポンジローラ７とが低速回転するように構成されている。（従って、ブラシローラ８は、十分に高速で回転する。）
【００５３】
また、小径送りローラ５ｂ・ブラシローラ８・固定スポンジローラ７・大径送りローラ５ａの左右側壁部42，43への取付構造は図11を用いて上述した第１の実施の形態と同様であって、小径送りローラ５ｂの軸部53にはベアリング44ａが装着されている。さらに、小径送りローラ５ｂの軸部53外周面には２つの環状溝51，51が形成され、環状溝51，51に装着されたＣ形止め輪50，50によってベアリング44ａが軸心方向に移動しないように固定されている。また、ベアリング44ａには、軸部53が挿通する孔部54を有するベアリングケース52が外嵌され、このベアリングケース52が固着具Ｂにて側壁部43に固着されている。また、小径送りローラ５ｂの軸部53にベアリング44ｂが装着され、ベアリング44ｂに外嵌したベアリングケース52が固着具Ｂ等にて側壁部42に固着されている。この軸部53の右端部に装着されたベアリング44ｂは、左側のベアリング44ａのようにＣ形止め輪50にて軸部53に固定されておらず、つまり、軸部53の右端部はベアリング44ｂに対し着脱自在となっている。
【００５４】
また、側壁部43には、図10と図12を用いて上述した第１の実施の形態と同様に軸部53に（左側の）ベアリング44ａが固着したままで側壁部43から取り外すための取外し孔55が貫設されている。この取り外し孔55は、各ローラ５ａ，５ｂ，７，８に取り付けられたベアリング44ａに対応して側壁部43に形成されている。また、対向する長方形の長辺部57，57に膨出円弧部56，56が形成された形状であり、膨出円弧部56，56の径寸法ｄはベアリング44ａの径寸法Ｄより小さく形成されている。また、取外し孔55の対向する短辺部58，58の間隔寸法Ｓはベアリング44ａの径寸法Ｄより（僅かに）大きく形成されている。
【００５５】
また、本発明のマット洗浄機は設計変更自由であり、突起部材12を運転レバー１に付設し、運転レバー１のＯＦＦ状態への揺動切換時にその突起部材12が給水レバー２（の上向き面）に当接して閉状態へ揺動切換させるように連動操作機構11を構成してもよい。
また、第２の実施の形態に於て、タンク61への補水機構をフロートバルブ63に限らず水位センサー等を用いて補水を制御しても良い。
【００５６】
上述した第１の実施の形態のマット洗浄機の使用方法（作用）について説明する。
まず、図５に示すように、運転レバー１は下方のＯＦＦ状態、給水レバー２は下方の閉状態にあり、ゴム（又はビニル）製のマットを湿式洗浄する場合について説明する。運転レバー１を上方に揺動させて図３に示すＯＮ状態にする。つまり、運転レバー１を上方に揺動切換すると、可動スポンジローラ６が固定スポンジローラ７に圧接すると共に、起出子31が起動スイッチ18の固定接触子30に接触する。起動スイッチ18がＯＮ状態となると、駆動モータ25（図２参照）が回転し、小径送りローラ５ｂとブラシローラ８と固定スポンジローラ７とが回転駆動し、固定スポンジローラ７と圧接する可動スポンジローラ６も回転する。
【００５７】
そして、図４に示すように、給水レバー２を上方へ揺動させて洗浄水バルブ９のハンドル33を操作し開状態とする。洗浄水バルブ９が開くと、洗浄水が放水パイプ39へと供給され、放水パイプ39の多数個の孔部から洗浄水が上方へ向かって噴水される。
【００５８】
図４に示す状態で、マット挿入口22（図１参照）からゴム製マットを表て面（汚れ面）を下面に向けて挿入すると、マットは上下送りローラ５ａ， 5ｂとで下流のブラシローラ８へと送られ、回転するブラシローラ８と放水パイプ39から吹き出す洗浄水にてマットの表て面（下面）の泥や埃が洗い流される。そして、洗浄されたマットが、回転する上下スポンジローラ６，７にて圧搾されて、付着していた洗浄水が除去された後、後方からケーシング10外に排出される。
【００５９】
マットの湿式洗浄が終わると、運転レバー１をＯＦＦ状態（下方）へ揺動切換する。運転レバー１を少し下方へ揺動すると、その下向き面１ａが給水レバー２の突起部材12に当接する。そして、そのまま運転レバー１を給水レバー２と連動させて下方に揺動切換する（図５参照）。運転レバー１が下方へ揺動切換されると可動スポンジローラ６は固定スポンジローラ７から離れ、起出子31は起動スイッチ18の固定接触子30から離れて上記回転駆動していた各ローラ５ｂ，７，８は停止する。また、給水レバー２が下方へ揺動切換されると、洗浄水バルブ９は閉められ、放水パイプ39の噴水が止められる。
【００６０】
次に、ジュウタンマットを乾式清掃する場合は、図５に示す状態から運転レバー１を上方へ揺動させＯＮ状態にし、給水レバー２は下げたままの閉状態にしておく（図３参照）。そして、マット挿入口22からジュウタンマットの植毛面を下面にして送り込み、回転するブラシローラ８にて植毛面に付着した粉塵等を除去する。その後、ジュウタンマットは上下スポンジローラ６，７間を通過して後方からケーシング10外へ排出される。
ジュウタンマットの清掃が終わると、運転レバー１をＯＦＦ状態（下方）へ揺動切換する（図５参照）。
【００６１】
上述した第２の実施の形態のマット洗浄機の使用方法（作用）について説明する。
図22（ａ）に示すように、運転レバー１は下方のＯＦＦ状態、つまり図22（ｂ）のように運転レバー１の起出子31は起動スイッチ18に付設された板バネの固定接触子30と離間しており、駆動モータ25はＯＦＦ状態である。また、給水レバー２は下方の閉状態、つまり図22（ｃ）のように給水レバー２の起出子81はポンプスイッチ62に付設された板バネの固定接触子80と離間しており、ポンプはＯＦＦ状態であると共に、第１の実施の形態と同様に洗浄水バルブ９は閉状態である。まず、ゴム（又はビニル）製のマットを湿式洗浄する場合について説明する。運転レバー１を上方に揺動させて図23（ａ）に示すＯＮ状態にする。つまり、運転レバー１を上方に揺動切換すると、可動スポンジローラ６が第１の実施の形態と同様に固定スポンジローラ７に圧接すると共に、図23（ｂ）のように起出子31が起動スイッチ18の固定接触子30に接触する。よって、起動スイッチ18がＯＮ状態となり、駆動モータ25が回転し、小径送りローラ５ｂとブラシローラ８と固定スポンジローラ７とが回転駆動し、固定スポンジローラ７と圧接する可動スポンジローラ６も回転する。
【００６２】
そして、図24（ａ）に示すように、給水レバー２を上方へ揺動させると、図24（ｃ）に示すように給水レバー２の起出子81がポンプスイッチ62の固定接触子80に接触しており、ポンプスイッチ62がＯＮ状態となると共に、第１の実施の形態と同様に洗浄水バルブ９のハンドル33を操作し開状態とする。よって、ポンプ64がタンク61からヒーター68により温められた洗浄水をフィルター67を介してくみ上げて噴出口65と取着口40を連通連結したホースに送水する。また、洗浄水バルブ９は開いているので、洗浄水が取着口40から洗浄水バルブ９を通って放水パイプ39へと供給され、放水パイプ39の多数個の孔部から洗浄水が上方へ向かって噴水される。
【００６３】
図24に示す状態で、マット挿入口22（図18参照）からゴム製マットを表て面（汚れ面）を下面に向けて挿入すると、マットは上下送りローラ５ａ，５ｂとで下流のブラシローラ８へと送られ、回転するブラシローラ８と放水パイプ39から吹き出す洗浄水にてマットの表て面（下面）の泥や埃が洗い流される。そして、洗浄されたマットが、回転する上下スポンジローラ６，７にて圧搾されて、付着していた洗浄水が除去された後、後方からケーシング10外に排出される。
【００６４】
また、放水パイプ39から吹き出した洗浄液や搾られた洗浄液は図示省略するが回収用中仕切板にて受けられ、タンク61の収水口71から流れ込みタンク61に再び貯水され再利用される。再利用される洗浄液は汚れているが、フィルター67を介してポンプ64にくみ上げられるので、常にきれいな洗浄液でマットを洗浄できる。そしてタンク61内の洗浄水が蒸発などの理由により少なくなると、フロートバルブ63によって洗浄水が自動で補給される。
【００６５】
マットの湿式洗浄が終わると、運転レバー１をＯＦＦ状態（下方）へ揺動切換する。運転レバー１を少し下方へ揺動すると、その下向き面１ａが給水レバー２の突起部材12に当接する。そして、そのまま運転レバー１を給水レバー２と連動させて下方に揺動切換する（図22参照）。運転レバー１が下方へ揺動切換されると第１の実施の形態と同様に可動スポンジローラ６は固定スポンジローラ７から離れ、起出子31は起動スイッチ18の固定接触子30から離れて上記回転駆動していた各ローラ５ｂ，７，８は停止する。また、給水レバー２が下方へ揺動切換されると、起出子81がポンプスイッチ62の固定接触子80から離れて送水していたポンプ64を停止すると共に、第１の実施の形態と同様にバルブ９は閉められる。つまり、放水パイプ39の噴水が止められる。
【００６６】
次に、ジュウタンマットを乾式清掃する場合は、第１の実施の形態と同様であり、図22に示す状態から図23に示すように運転レバー１を上方へ揺動させＯＮ状態にし、給水レバー２は下げたままの閉状態にしておく。そして、マット挿入口22からジュウタンマットの植毛面を下面にして送り込み、回転するブラシローラ８にて植毛面に付着した粉塵等を除去する。その後、ジュウタンマットは上下スポンジローラ６，７間を通過して後方からケーシング10外へ排出される。
ジュウタンマットの清掃が終わると、図22のように運転レバー１をＯＦＦ状態（下方）へ揺動切換する。
【００６７】
次に、第１，２の実施の形態でのメンテナンスや部品交換等のために、大径送りローラ５ａ・小径送りローラ５ｂ・ブラシローラ８・固定スポンジローラ７をケーシング10から取り外す方法について説明する。
図９に於て、ケーシング本体23（の正面カバー）と左側の側方カバー24ａとを取り外す。そして、図13に示すように、小径送りローラ５ｂの軸部53からスプロケット45ａを取り外し、固着具Ｂ，Ｂを取り去ってベアリングケース52をケーシング10の側壁部43から取り外す。軸部53の左端部にはＣ形止め輪50，50にて固定されたベアリング44ａが残った状態となっている。
【００６８】
軸部53の右端部はベアリング44ｂに着脱自在となっており（図11参照）、図14に示すように、小径送りローラ５ｂを軸心方向に左へスライドさせ、軸部53の右端部をベアリング44ｂから抜き出す。
【００６９】
このように、軸部53の左右両端がフリーとなった小径送りローラ５ｂを、図15に示すように傾けて、取外し孔55から軸部53と一緒にベアリング44ａを右側へ抜き出す。
詳しくは、図16に示すように、軸部53を取外し孔55の膨出円弧部56，56に接近するように傾け、取外し孔55に対しベアリング44ａを斜めにして通過させる。そして、図17に示すように、ベアリング44ａの外周縁部が（下方の）膨出円弧部56を越えるようにして抜き出し取り外す。
【００７０】
また、ブラシローラ８を取り外す場合は、図９に於て、右側の側方カバー24ｂを取り外し、ブラシローラ８の（軸部の）右端部からプーリ47を取り外す。また、上記と同様にケーシング本体23（の正面カバー）と左側の側方カバー24ａとを取り外して、スプロケット45ｂやベアリングケース52を取り外す。後は、上記図13〜図17にて説明した小径送りローラ５ｂの取り外し方と同様にしてブラシローラ８を取り外す。
なお、大径送りローラ５ａと固定スポンジローラ７の取り外し方も小径送りローラ５ｂと同様に行えばよいので説明を省略する。
【００７１】
このように、上記各ローラ５ａ，５ｂ，７，８の軸部にベアリング44ａとＣ形止め輪50，50とを固着したまま容易に取り外しができるように構成されている。
また、従来は、ローラの軸部の両端にベアリングが（Ｃ形止め輪50，50にて）固定されていたが、これに対し、本発明では、上記各ローラ５ａ，５ｂ，７，８の軸部の左端部にベアリング44ａが固定され、右端部にはベアリング44ｂが固定されていない。即ち、マット洗浄機を製造する場合に、ケーシング10の左右側壁部42，43の間隔寸法等に誤差が生じても、各ローラ５ａ，５ｂ，７，８の右端部をベアリング44ｂに内嵌すれば、上記間隔寸法誤差等に影響されず簡単に取り付けることができるようになっている。
【００７２】
以上のように、本発明のマット洗浄機は、マット送り手段３と、清掃手段４と、マット送り手段３と清掃手段４とを内蔵したケーシング10と、マット送り手段３と清掃手段４とを運転・停止させる起動スイッチ18と、起動スイッチ18のＯＮ−ＯＦＦ状態を揺動切換する運転レバー１と、洗浄水バルブ９とを、備えたマット洗浄機であって、運転レバー１のＯＮ状態で洗浄水バルブ９の開閉状態を揺動切換する給水レバー２を具備し、ＯＦＦ状態へ揺動切換する運転レバー１に連動して給水レバー２を閉状態へ揺動切換させる連動操作機構11を有するので、洗浄水を使用する湿式洗浄と、洗浄水を使用しない乾式清掃とを、両方切換えて行うことができると共に、湿式洗浄を終了し運転を停止する（ＯＦＦ状態とする）際に、必ず洗浄水バルブ９を閉状態にすることができる。このことにより、湿式洗浄後、洗浄水バルブ９を閉め忘れることがないので、次に乾式清掃する場合に、ジュウタンマットが洗浄水によって濡れるのを防ぐことができる。
【００７３】
また、本発明のマット洗浄機は、マット送り手段３と、清掃手段４と、マット送り手段３と清掃手段４とを内蔵したケーシング10と、マット送り手段３と清掃手段４とを運転・停止させる起動スイッチ18と、起動スイッチ18のＯＮ−ＯＦＦ状態を揺動切換する運転レバー１と、洗浄水を貯水するタンク61と、洗浄水を送るポンプ64と、タンク61から洗浄水をポンプ64によって清掃手段４に送る配管に介装された洗浄水バルブ９と、ポンプ64を運転・停止させるポンプスイッチ62と、給水レバー２とを、備えたマット洗浄機であって、給水レバー２は運転レバー１のＯＮ状態で洗浄水バルブ９の開閉状態を揺動切換できると共にポンプスイッチ62のＯＮ−ＯＦＦ状態を揺動切換可能であり、給水レバー２の開状態は洗浄水バルブが開状態であると共にポンプスイッチがＯＮ状態であり、給水レバー２の閉状態は洗浄水バルブが閉状態であると共にポンプスイッチがＯＦＦ状態であり、かつ、運転レバー１のＯＦＦ状態に連動して給水レバー２を閉状態へ揺動切換させる連動操作機構11を有するので、洗浄水を使用する湿式洗浄と、洗浄水を使用しない乾式清掃とを、両方切換えて行うことができると共に、湿式洗浄を終了し運転を停止する（ＯＦＦ状態とする）際に、必ず洗浄水バルブ９を閉状態にすると共にポンプ64を停止させることができる。このことにより、湿式洗浄後、洗浄水バルブ９を閉め忘れることがないので、次に乾式清掃する場合に、ジュウタンマットが洗浄水によって濡れるのを防ぐことができる。また、ポンプスイッチの切り忘れによってポンプに消費される無駄な電力を抑えることができる。また、寒冷地での冬場の水道管の凍結や工事による断水などで補給ができない場合でもタンク61に洗浄水が貯えられているので湿式洗浄できる。また、使用した洗浄水をタンク61に回収する機構を付設することで節水できる。また、タンク61にヒーター68を付設することにより洗浄水を温水にできるので、汚れを落としやすくすると共に、マットが乾く時間を短縮できる。また、洗浄水を温水にすることで、寒冷地での冬場に洗浄機本体19内部の配管の凍結を予防できる。また、タンク61にフロートバルブ63を付設することで、自動でタンク61に給水できるので給水作業の手間がなくなる。
【００７４】
また、連動操作機構11は、運転レバー１又は給水レバー２のうちの一方に付設されると共に運転レバー１のＯＦＦ状態への揺動切換時に他方に当接して給水レバー２を閉状態へ揺動切換させる突起部材12を有するので、湿式洗浄を終了し運転を停止する（ＯＦＦ状態とする）際に、簡単な構造にて給水レバー２を運転レバー１に連動して閉状態へ確実に揺動切換させることができる。
【００７５】
また、運転レバー１の枢支軸心13と給水レバー２の枢支軸心14とを同一軸心Ｘ状に配設したので、給水レバー２をＯＦＦ状態へ揺動切換する運転レバー１にスムーズに連動操作することができる。
【００７６】
また、運転レバー１の把持部15と給水レバー２のグリップ部16とを、ケーシング10の垂直壁部10ａに形成した長孔17からケーシング10外に突出させたので、長孔17から雨水等が浸入しにくくなり、ケーシング10内の装置・部品が錆びたり故障する虞を少なくすることができる。
【００７７】
また、運転レバー１が上方のＯＮ状態と下方のＯＦＦ状態とに上下揺動切換自在に付設され、給水レバー２が上方の開状態と下方の閉状態とに上下揺動切換自在に付設されているので、安定して運転レバー１と給水レバー２とを揺動切換することができる。つまり、マット洗浄機の重心（ケーシング10）が高い位置にある場合、マット洗浄機は、前後左右方向の力に対しては不安定であるが、上下方向の力に対しては比較的安定しているので、運転レバー１と給水レバー２とを上下に揺動させるように付設して、揺動切換操作の際の荷重によるマット洗浄機の転倒や浮き上がりを防止することができる。
また、ＯＦＦ状態では運転レバー１の揺動先端が下方に位置し、閉状態では給水レバー２の揺動先端が下方に位置するので、ＯＦＦ状態・閉状態に於て運転レバー１と給水レバー２とが雨水に濡れても、雨水が各レバー１，２を伝ってケーシング10内に浸入することがない。従って、ケーシング10内の装置・部品が錆びたり故障する虞を少なくすることができる。  
【００７８】
また、送り手段３及び清掃手段４はローラ５ａ，５ｂ，７，８を備え、ローラ５ａ，５ｂ，７，８は軸部53の一方の軸端をケーシング10の両側壁部42，43のいずれか一方にベアリングケース52と固着具Ｂにて固着されたベアリング44ｂに着脱自在に取り付けられ、他方の軸端はベアリング44ａが固着され両側壁部42，43の他方を貫通してベアリングケース52と固着具Ｂにて取り付けられた構造であって、ローラ５ａ，５ｂ，７，８の一方の軸端をベアリング44ｂから取り外し両側壁部42，43の他方のベアリングケース52と固着具Ｂを取り外して軸部53の両端を自由にでき、両側壁部42，43の他方に形成された取外し孔55に対し軸部53と固着されたままのベアリング44ａを斜めに通過可能として、ベアリング44ａを固着したままでケーシング10からローラ５ａ，５ｂ，７，８を着脱可能としているので、ローラ５ａ，５ｂ，７，８の軸部の一方に固着されたベアリングを取り外すことなく、ケーシング10から取り外すことができるので、ローラ５ａ，５ｂ，７，８の保守や点検及び修理などの交換作業が迅速かつ容易にできると共に、送り手段３や清掃手段４だけでなく、配管や配線及びその他機構部分の保守や点検及び修理などの部品の交換時のローラ５ａ，５ｂ，７，８取り外し作業も容易にし、洗浄機本体19のメンテナンス作業全般を容易かつ迅速におこなうことができる。
【図面の簡単な説明】
【００７９】
【図１】本発明に係るマット洗浄機の第１の実施の形態を示す正面図である。
【図２】側面図である。
【図３】第１の実施の形態のＯＮ状態及び閉状態を示す要部側面図である。
【図４】第１の実施の形態のＯＮ状態及び開状態を示す要部側面図である。
【図５】第１の実施の形態のＯＦＦ状態及び閉状態を示す要部側面図である。
【図６】要部正面図である。
【図７】要部拡大図である。
【図８】要部側面図である。
【図９】要部正面図である。
【図１０】要部側面図である。
【図１１】要部拡大断面図である。
【図１２】要部拡大図である。
【図１３】作用説明図である。
【図１４】作用説明図である。
【図１５】作用説明図である。
【図１６】作用説明図である。
【図１７】作用説明図である。
【図１８】本発明に係るマット洗浄機の第２の実施の形態を示す正面図である。
【図１９】要部拡大図であり、（ａ）は要部側面図であり、（ｂ）は要部正面図である。
【図２０】要部拡大図である。
【図２１】要部拡大図であり、（ａ）は要部正面図であり、（ｂ）は要部側面図である。
【図２２】作用説明図である。
【図２３】作用説明図である。
【図２４】作用説明図である。
【符号の説明】
【００８０】
１  運転レバー
２  給水レバー
３  マット送り手段
４  清掃手段
５ａ  大径送りローラ
５ｂ  小径送りローラ
７  固定スポンジローラ
８  ブラシローラ
９  洗浄水バルブ
10  ケーシング
10ａ  垂直壁部
11  連動操作機構
12  突起部材
13  枢支軸心
14  枢支軸心
15  把持部
16  グリップ部
17  長孔
18  起動スイッチ
42  側壁部
43  側壁部
44ａ  ベアリング
44ｂ  ベアリング
52  ベアリングケース
53  軸部
55  取外し孔
61  タンク
62  ポンプスイッチ
64  ポンプ
Ｂ  固着具
Ｘ  軸心
【図１】
2008049328.tif 000003
【図２】
2008049328.tif 000004
【図３】
2008049328.tif 000005
【図４】
2008049328.tif 000006
【図５】
2008049328.tif 000007
【図６】
2008049328.tif 000008
【図７】
2008049328.tif 000009
【図８】
2008049328.tif 000010
【図９】
2008049328.tif 000011
【図１０】
2008049328.tif 000012
【図１１】
2008049328.tif 000013
【図１２】
2008049328.tif 000014
【図１３】
2008049328.tif 000015
【図１４】
2008049328.tif 000016
【図１５】
2008049328.tif 000017
【図１６】
2008049328.tif 000018
【図１７】
2008049328.tif 000019
【図１８】
2008049328.tif 000020
【図１９】
2008049328.tif 000021
【図２０】
2008049328.tif 000022
【図２１】
2008049328.tif 000023
【図２２】
2008049328.tif 000024
【図２３】
2008049328.tif 000025
【図２４】
2008049328.tif 000026